(57)【要約】【課題】冷蔵室と冷凍室にそれぞれ蒸発器を有する冷蔵庫において、冷却時の効率を向上することを目的とする。【解決手段】断熱箱体の断熱材に真空断熱材２０を用い、三方弁３により冷媒の流れを冷蔵室・冷凍室回路と冷凍室回路に切り替えることにより冷蔵室９と冷凍室１０を交互に冷却し、冷蔵室９の温度と冷凍室１の温度が共に設定温度以下を検出すると圧縮機１を停止すると共に三方３弁を全閉とし、全閉状態は次回の圧縮機起動まで継続することにより、圧縮機停止中に高温高圧の冷媒が冷蔵室９、冷凍室１０の蒸発器に流入しないので各部屋の温度上昇を最小限に抑えることが可能となる。特に断熱箱体に真空断熱材２０を使用しているため吸熱量が減り、圧縮機１の停止時間が従来の真空断熱材を用いないものと比較して長くなる場合に、効果をさらに高めることができる。【選択図】図２
2005337677.tif 000002
【特許請求の範囲】
【請求項１】
圧縮機と、凝縮器と、流路切替手段である三方弁と、第一のキャピラリと、冷蔵室用蒸発器と、第二のキャピラリと、冷凍室用蒸発器と、冷蔵室用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を全閉とし、全閉状態は次回の前記圧縮機起動まで継続することを特徴とする冷蔵庫。
【請求項２】
圧縮機と、凝縮器と、流路切替手段である三方弁と、第一のキャピラリと、冷蔵室用蒸発器と、第二のキャピラリと、冷凍室用蒸発器と、冷蔵室冷却用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を前記冷蔵室用蒸発器側に開とすることを特徴とする冷蔵庫。
【請求項３】
圧縮機と、凝縮器と、流路切替手段である三方弁と、第一のキャピラリと、冷蔵室用蒸発器と、第二のキャピラリと、冷凍室用蒸発器と、冷蔵室用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を全閉とし、各庫内温度の内何れか一方が設定温度以上を検知すると前記三方弁を前記冷蔵室用蒸発器側に開としたのち所定時間経過後前記圧縮機を起動させることを特徴とする冷蔵庫。
【請求項４】
圧縮機と、凝縮器と、流路切替手段である三方弁と、第一のキャピラリと、冷蔵室用蒸発器と、第二のキャピラリと、冷凍室用蒸発器と、冷蔵室用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を全閉とし、各庫内温度の内何れか一方が設定温度以上を検知すると前記三方弁を前記冷凍室用蒸発器側に開としたのち所定時間経過後前記圧縮機を起動させることを特徴とする冷蔵庫。
【請求項５】
圧縮機と、凝縮器と、流路切替手段である三方弁と、第一のキャピラリと、冷蔵室用蒸発器と、第二のキャピラリと、冷凍室用蒸発器と、冷蔵室用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を全閉とし、各庫内温度の内何れか一方が設定温度以上を検知すると前記三方弁を全閉したまま、前記圧縮機を起動させ、所定時間動作させることを特徴とする冷蔵庫。
【請求項６】
前記冷凍室用蒸発器と前記圧縮機の間に、逆止弁を配設することを特徴とする請求項１から請求項５のいずれか一項に記載の冷蔵庫。
【請求項７】
冷蔵室・冷凍室同時冷却終了から所定時間前記冷蔵室冷却用ファンを運転することを特徴とする請求項１から請求項６のいずれか一項に記載の冷蔵庫。
【請求項８】
冷蔵室・冷凍室同時冷却開始から所定時間前記冷蔵室冷却用ファンを停止することを特徴とする請求項１から請求項６のいずれか一項に記載の冷蔵庫。
【請求項９】
冷蔵室・冷凍室同時冷却開始から所定時間前記冷凍室冷却用ファンを停止することを特徴とする請求項１から請求項６のいずれか一項に記載の冷蔵庫。
【請求項１０】
冷蔵室・冷凍室同時冷却開始から所定時間前記冷凍室冷却用ファンの回転数を低下させることを特徴とする請求項１から請求項６のいずれか一項に記載の冷蔵庫。
【請求項１１】
冷凍室冷却終了から所定時間前記冷凍室冷却用ファンを運転することを特徴とする請求項１から請求項６のいずれか一項に記載の冷蔵庫。
【発明の詳細な説明】
【技術分野】
【０００１】
本発明は、冷蔵室と冷凍室にそれぞれ蒸発器を有する冷蔵庫に関するものである。
【背景技術】
【０００２】
近年、冷蔵庫は冷蔵室と冷凍室にそれぞれ蒸発器を有するものがある。（例えば、特許文献１参照）
図１３に従来の冷却サイクル並びに冷蔵庫の概略図を示す。
【０００３】
１は圧縮機、２は凝縮器、３は機械室１１内に配設された切替弁であり、５は冷蔵室９内に配設された冷蔵室用蒸発器であり、７は冷凍室１０内に配設された冷凍室用蒸発器である。
【０００４】
第一のキャピラリ４は冷蔵室冷却用である冷蔵室用蒸発器５の上流側に配設され、第二のキャピラリ６は冷凍室冷却用である冷凍室用蒸発器７の上流側に配設され、逆止弁８は冷凍室用蒸発器７の下流側に設けている。
【０００５】
以上のように構成された従来の冷蔵庫について、以下、その動作を説明する。
【０００６】
圧縮機１が駆動された状態で、切替弁３により、圧縮機１から吐出される冷媒が冷蔵室用蒸発器５側に流れるように冷媒流路を切り替えた状態では、圧縮機１において圧縮された冷媒は、高温高圧ガスとなって凝縮器２に送られ、ここで放熱して液化されるようになる。液化された冷媒は、切替弁３により第一のキャピラリ４を通って冷蔵室用蒸発器５に送られ、ここで蒸発することに伴い周囲の熱を奪い、この結果周囲の空気を冷却する。ガス化した冷媒は再び圧縮機１において圧縮されるようになる。
【０００７】
このとき、冷蔵室用蒸発器５により冷却された冷気は冷蔵室用ファン１１の送風作用により冷蔵室９に供給され庫内が冷却される。この場合、冷蔵室９の温度は例えば+２℃であるために、冷蔵室用蒸発器５による冷却温度が約−５℃となるように、圧縮機１の運転周波数が設定される。また、この時の冷蔵室用蒸発器５の圧力は例えば約０．２４ＭＰａである。このような冷却状態を冷蔵室冷却モードという。
【０００８】
また、圧縮機１が駆動された状態で、切替弁３により、圧縮機１から吐出される冷媒が冷凍室用蒸発器７側に流れるように冷媒流路を切り替えた状態では、圧縮機１において圧縮された冷媒は、高温高圧ガスとなって凝縮器２に送られ液化された冷媒は、切替弁３により第二のキャピラリ６を通って冷凍室用蒸発器７に送られ、ここで蒸発することに伴い周囲の熱を奪い、この結果周囲の空気を冷却する。ガス化した冷媒は逆止弁８を通り、再び圧縮機１において圧縮されるようになる。
【０００９】
このとき、冷凍室用蒸発器７により冷却された冷気は冷凍室用ファン１２の送風作用により冷凍室１０に供給され庫内が冷却される。この場合、冷凍室１０の温度は例えば−１８℃であるために、冷凍室用蒸発器７による冷却温度が約−２８℃となるように、圧縮機１の運転周波数が設定される。また、この時の冷凍室用蒸発器７の圧力は例えば約０.０９ＭＰａである。このような冷却状態を冷凍室冷却モードという。
【００１０】
この冷蔵庫において、冷蔵室９、冷凍室１０には図示しないがそれぞれ温度センサーが設けられていて、それら各温度センサーの検出信号はマイクロコンピューターを備えた制御回路に入力されるようになる。制御回路は、それらの検出信号と、予め備えた制御プログラムに従って、圧縮機１、切替弁３、冷蔵室ファン様ファン１１、冷凍室用ファン１２などを制御する。
【００１１】
冷蔵室９および冷凍室１０とが共に予め設定された設定温度まで冷却された状態で、圧縮機１を停止させる場合、冷蔵室冷却モードで行う。冷蔵室冷却モードにおいては、切替弁３としては圧縮機１と冷蔵室用蒸発器５の入口とを連通した状態となっており、圧縮機１と冷凍室用蒸発器７の入口との間は遮断されている。この状態で圧縮機１を停止させた場合、高圧側からの高温の冷媒が冷凍室用蒸発器７に流入することはなく、しかも、圧力差のために冷凍室用蒸発器７の出口側の逆止弁８が作用するようになるので、冷蔵室用蒸発器５から冷凍室用蒸発器７への冷媒の逆流もない。従って、冷凍室用蒸発器７には低温の冷媒が保持されることになり、冷凍室用蒸発器７の温度が上昇することを抑えられるようになる。そして、圧縮機１の再起動時には冷凍室冷却モードから開始され、このときに、冷凍室用蒸発器７に保持されていた低温の冷媒が再循環することになるので、冷却効率の良い運転ができる。
【特許文献１】特開２００１−９１１３０号公報
【発明の開示】
【発明が解決しようとする課題】
【００１２】
しかしながら、上記従来の構成は圧縮機１を冷蔵室冷却モードで停止させるので圧縮機１と冷凍室用蒸発器７の入口との間は遮断されているために冷凍室用蒸発器７の温度上昇に伴う冷凍室１０の昇温は抑制できるが、圧縮機１と冷蔵室用蒸発器５の入口とが連通した状態となっているために高圧側から高温の冷媒が冷蔵室用蒸発器５に流入し冷蔵室用蒸発器５の温度上昇に伴う冷蔵室９の温度上昇が大きいという欠点があった。また、常に圧縮機１を冷蔵室冷却モードで停止させるので、冷凍室１０のみ扉開閉があった場合等実際の使用条件下で負荷が冷凍室１０に偏った状況でも冷蔵室冷却を常に行うので、冷蔵室９の温調が冷凍室１０に依存してしまいフレキシブルに対応できないという欠点もあった。
【００１３】
本発明は、従来の課題を解決するもので、圧縮機停止中の冷蔵室および冷凍室の昇温を最小限にとどめ、且つ冷却時の効率を向上することを目的とする。
【課題を解決するための手段】
【００１４】
上記課題を解決するため、本発明の冷蔵庫は、圧縮機と、凝縮器と、流路切替手段である三方弁と、第一のキャピラリと、冷蔵室用蒸発器と、第二のキャピラリと、冷凍室用蒸発器と、冷蔵室用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を全閉とし、全閉状態は次回の前記圧縮機起動まで継続するものであり、圧縮機停止中に高温高圧の冷媒が冷蔵室、冷凍室それぞれの蒸発器ともに流入しないので各部屋の温度上昇を最小限に抑えることが可能となる。特に断熱箱体に真空断熱材を使用しているため吸熱量が減り、圧縮機停止時間が従来の真空断熱材を用いないものと比較して長くなる場合に、効果をさらに高めることができる。
【００１５】
また、圧縮機停止中は凝縮器側に冷媒をホールドしているので次回の冷却が冷蔵室冷却、冷凍室冷却何れの場合でも速やかに各蒸発器に冷媒を供給することができ冷却効率を向上することが可能となる。
【００１６】
また、圧縮機と、凝縮器と、流路切替手段である三方弁と、第一のキャピラリと、冷蔵室用蒸発器と、第二のキャピラリと、冷凍室用蒸発器と、冷蔵室用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を前記冷蔵室用蒸発器側に開とするものであり、三方弁を圧縮機停止と同時に冷蔵室用蒸発器側回路に開とするので停止直前の冷却状態との依存性はなく実際の使用条件下でもフレキシブルな対応が可能となる。
【００１７】
また、圧縮機起動時には冷蔵室用蒸発器回路を介して高圧側と低圧側の圧力は同等圧力にバランスしているので、起動時に圧縮機にかかるトルクを最小限に抑える事ができ圧縮機のトルク不足による起動不良を防止することが可能となる。
【００１８】
また、圧縮機と、凝縮器と、流路切替手段である三方弁と、第一のキャピラリと、冷蔵室用蒸発器と、第二のキャピラリと、冷凍室用蒸発器と、冷蔵室用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を全閉とし、各庫内温度の内何れか一方が設定温度以上を検知すると前記三方弁を前記冷蔵室用蒸発器側に開としたのち所定時間経過後前記圧縮機を起動させるものであり、圧縮機停止時には高温高圧の冷媒が冷蔵室、冷凍室それぞれの蒸発器ともに流入しないので各部屋の温度上昇を最小限に抑えることが可能となる。また、圧縮機起動時には冷蔵室用蒸発器回路を介して高圧側と低圧側の圧力は同等圧力にバランスしているので、起動時に圧縮機にかかるトルクを最小限に抑えることができ圧縮機のトルク不足による起動不良を防止することが可能となり、且つ冷蔵室の昇温を最小限に抑えることができる。
【００１９】
また、圧縮機と、凝縮器と、流路切替手段である三方弁と、第一のキャピラリと、冷蔵室用蒸発器と、第二のキャピラリと、冷凍室用蒸発器と、冷蔵室用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を全閉とし、各庫内温度の内何れか一方が設定温度以上を検知すると前記三方弁を前記冷凍室用蒸発器側に開としたのち所定時間経過後前記圧縮機を起動させるものであり、圧縮機停止時には高温高圧の冷媒が冷蔵室、冷凍室それぞれの蒸発器ともに流入しないので各部屋の温度上昇を最小限に抑えることが可能となる。また、圧縮機起動時には冷凍室用蒸発器回路を介して高圧側と低圧側の圧力は同等圧力にバランスしているので、起動時に圧縮機にかかるトルクを最小限に抑えることができ圧縮機のトルク不足による起動不良を防止することが可能となり、且つ冷蔵室の昇温を最小限に抑えることができる。また、冷蔵室蒸発器への高温高圧の冷媒が流入しないので、冷蔵室の温度上昇を最小限に抑えることができる。冷蔵室蒸発器と冷凍室蒸発器が並列のシステムでは、冷蔵室蒸発器側に三方弁を開放すれば冷蔵室のみの温度上昇となるが、直列のシステムでは冷蔵室蒸発器を通過した冷媒が冷凍室蒸発器に流入するため冷蔵・冷凍両室の温度上昇となる。
【００２０】
また、圧縮機と、凝縮器と、流路切替手段である三方弁と、第一のキャピラリと、冷蔵室用蒸発器と、第二のキャピラリと、冷凍室用蒸発器と、冷蔵室用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を全閉とし、各庫内温度の内何れか一方が設定温度以上を検知すると前記三方弁を全閉したまま、前記圧縮機を起動させ、所定時間動作させるものであり、圧縮機起動時の高温高圧の冷媒を流すことなく、冷蔵室もしくは冷凍室の冷却へ移行することができる。
【発明の効果】
【００２１】
本発明の冷蔵庫によれば、圧縮機と、凝縮器と、流路切替手段である三方弁と、第一のキャピラリと、冷蔵室用蒸発器と、第二のキャピラリと、冷凍室用蒸発器と、冷蔵室用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を全閉とし、全閉状態は次回の前記圧縮機起動まで継続するものであり、圧縮機停止中に高温高圧の冷媒が冷蔵室、冷凍室それぞれの蒸発器ともに流入しないので各部屋の温度上昇を最小限に抑えることが可能となる。特に断熱箱体に真空断熱材を使用しているため吸熱量が減り、圧縮機停止時間が従来の真空断熱材を用いないものと比較して長くなる場合に、効果をさらに高めることができる。
【００２２】
また、圧縮機停止中は凝縮器側に冷媒をホールドしているので次回の冷却が冷蔵室冷却、冷凍室冷却何れの場合でも速やかに各蒸発器に冷媒を供給することができ冷却効率を向上することが可能となる。
【００２３】
また、圧縮機と、凝縮器と、流路切替手段である三方弁と、第一のキャピラリと、冷蔵室用蒸発器と、第二のキャピラリと、冷凍室用蒸発器と、冷蔵室用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を前記冷蔵室用蒸発器側に開とするものであり、三方弁を圧縮機停止と同時に冷蔵室用蒸発器側回路に開とするので停止直前の冷却状態との依存性はなく実際の使用条件下でもフレキシブルな対応が可能となる。
【００２４】
また、圧縮機起動時には冷蔵室用蒸発器回路を介して高圧側と低圧側の圧力は同等圧力にバランスしているので、起動時に圧縮機にかかるトルクを最小限に抑える事ができ圧縮機のトルク不足による起動不良を防止することが可能となる。
【００２５】
また、圧縮機と、凝縮器と、流路切替手段である三方弁と、第一のキャピラリと、冷蔵室用蒸発器と、第二のキャピラリと、冷凍室用蒸発器と、冷蔵室用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を全閉とし、各庫内温度の内何れか一方が設定温度以上を検知すると前記三方弁を前記冷蔵室用蒸発器側に開としたのち所定時間経過後前記圧縮機を起動させるものであり、圧縮機停止時には高温高圧の冷媒が冷蔵室、冷凍室それぞれの蒸発器ともに流入しないので各部屋の温度上昇を最小限に抑えることが可能となる。また、圧縮機起動時には冷蔵室用蒸発器回路を介して高圧側と低圧側の圧力は同等圧力にバランスしているので、起動時に圧縮機にかかるトルクを最小限に抑えることができ圧縮機のトルク不足による起動不良を防止することが可能となり、且つ冷蔵室の昇温を最小限に抑えることができる。
【００２６】
また、圧縮機と、凝縮器と、流路切替手段である三方弁と、第一のキャピラリと、冷蔵室用蒸発器と、第二のキャピラリと、冷凍室用蒸発器と、冷蔵室用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を全閉とし、各庫内温度の内何れか一方が設定温度以上を検知すると前記三方弁を前記冷凍室用蒸発器側に開としたのち所定時間経過後前記圧縮機を起動させるものであり、圧縮機停止時には高温高圧の冷媒が冷蔵室、冷凍室それぞれの蒸発器ともに流入しないので各部屋の温度上昇を最小限に抑えることが可能となる。また、圧縮機起動時には冷凍室用蒸発器回路を介して高圧側と低圧側の圧力は同等圧力にバランスしているので、起動時に圧縮機にかかるトルクを最小限に抑えることができ圧縮機のトルク不足による起動不良を防止することが可能となり、且つ冷蔵室の昇温を最小限に抑えることができる。また、冷蔵室蒸発器への高温高圧の冷媒が流入しないので、冷蔵室の温度上昇を最小限に抑えることができる。冷蔵室蒸発器と冷凍室蒸発器が並列のシステムでは、冷蔵室蒸発器側に三方弁を開放すれば冷蔵室のみの温度上昇となるが、直列のシステムでは冷蔵室蒸発器を通過した冷媒が冷凍室蒸発器に流入するため冷蔵・冷凍両室の温度上昇となる。
【００２７】
また、圧縮機と、凝縮器と、流路切替手段である三方弁と、第一のキャピラリと、冷蔵室用蒸発器と、第二のキャピラリと、冷凍室用蒸発器と、冷蔵室用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を全閉とし、各庫内温度の内何れか一方が設定温度以上を検知すると前記三方弁を全閉したまま、前記圧縮機を起動させ、所定時間動作させるものであり、圧縮機起動時の高温高圧の冷媒を流すことなく、冷蔵室もしくは冷凍室の冷却へ移行することができる。
【発明を実施するための最良の形態】
【００２８】
請求項１に記載の冷蔵庫の発明は、圧縮機と、凝縮器と、流路切替手段である三方弁と、第一のキャピラリと、冷蔵室用蒸発器と、第二のキャピラリと、冷凍室用蒸発器と、冷蔵室用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を全閉とし、全閉状態は次回の前記圧縮機起動まで継続するものであり、圧縮機停止中に高温高圧の冷媒が冷蔵室、冷凍室それぞれの蒸発器ともに流入しないので各部屋の温度上昇を最小限に抑えることが可能となる。特に断熱箱体に真空断熱材を使用しているため吸熱量が減り、圧縮機停止時間が従来の真空断熱材を用いないものと比較して長くなる場合に、効果をさらに高めることができる。
【００２９】
また、圧縮機停止中は凝縮器側に冷媒をホールドしているので次回の冷却が冷蔵室冷却、冷凍室冷却何れの場合でも速やかに各蒸発器に冷媒を供給することができ冷却効率を向上することが可能となる。
【００３０】
請求項２に記載の発明は、圧縮機と、凝縮器と、流路切替手段である三方弁と、第一のキャピラリと、冷蔵室用蒸発器と、第二のキャピラリと、冷凍室用蒸発器と、冷蔵室用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を前記冷蔵室用蒸発器側に開とするものであり、三方弁を圧縮機停止と同時に冷蔵室用蒸発器側回路に開とするので停止直前の冷却状態との依存性はなく実際の使用条件下でもフレキシブルな対応が可能となる。
【００３１】
また、圧縮機起動時には冷蔵室用蒸発器回路を介して高圧側と低圧側の圧力は同等圧力にバランスしているので、起動時に圧縮機にかかるトルクを最小限に抑える事ができ圧縮機のトルク不足による起動不良を防止することが可能となる。
【００３２】
請求項３に記載の発明は、圧縮機と、凝縮器と、流路切替手段である三方弁と、第一のキャピラリと、冷蔵室用蒸発器と、第二のキャピラリと、冷凍室用蒸発器と、冷蔵室用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を全閉とし、各庫内温度の内何れか一方が設定温度以上を検知すると前記三方弁を前記冷蔵室用蒸発器側に開としたのち所定時間経過後前記圧縮機を起動させるものであり、圧縮機停止時には高温高圧の冷媒が冷蔵室、冷凍室それぞれの蒸発器ともに流入しないので各部屋の温度上昇を最小限に抑えることが可能となる。また、圧縮機起動時には冷蔵室用蒸発器回路を介して高圧側と低圧側の圧力は同等圧力にバランスしているので、起動時に圧縮機にかかるトルクを最小限に抑えることができ圧縮機のトルク不足による起動不良を防止することが可能となり、且つ冷蔵室の昇温を最小限に抑えることができる。
【００３３】
請求項４に記載の発明は、圧縮機と、凝縮器と、流路切替手段である三方弁と、第一のキャピラリと、冷蔵室用蒸発器と、第二のキャピラリと、冷凍室用蒸発器と、冷蔵室用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を全閉とし、各庫内温度の内何れか一方が設定温度以上を検知すると前記三方弁を前記冷凍室用蒸発器側に開としたのち所定時間経過後前記圧縮機を起動させるものであり、圧縮機停止時には高温高圧の冷媒が冷蔵室、冷凍室それぞれの蒸発器ともに流入しないので各部屋の温度上昇を最小限に抑えることが可能となる。また、圧縮機起動時には冷凍室用蒸発器回路を介して高圧側と低圧側の圧力は同等圧力にバランスしているので、起動時に圧縮機にかかるトルクを最小限に抑えることができ圧縮機のトルク不足による起動不良を防止することが可能となり、且つ冷蔵室の昇温を最小限に抑えることができる。また、冷蔵室蒸発器への高温高圧の冷媒が流入しないので、冷蔵室の温度上昇を最小限に抑えることができる。冷蔵室蒸発器と冷凍室蒸発器が並列のシステムでは、冷蔵室蒸発器側に三方弁を開放すれば冷蔵室のみの温度上昇となるが、直列のシステムでは冷蔵室蒸発器を通過した冷媒が冷凍室蒸発器に流入するため冷蔵・冷凍両室の温度上昇となる。
【００３４】
請求項５に記載の発明は、圧縮機と、凝縮器と、流路切替手段である三方弁と、第一のキャピラリと、冷蔵室用蒸発器と、第二のキャピラリと、冷凍室用蒸発器と、冷蔵室用ファンと、冷凍室用ファンとを備えた冷蔵室と冷凍室とを有する冷蔵庫において、前記冷蔵庫を構成する断熱箱体の断熱材には真空断熱材を用い、前記冷蔵室に前記冷蔵室用蒸発器を前記冷凍室に前記冷凍室用蒸発器を直列に配設し、前記三方弁により冷媒の流れを冷蔵室・冷凍室回路と冷凍室回路に切り替えることにより前記冷蔵室・冷凍室と前記冷凍室を交互に冷却し、前記冷蔵室の温度と前記冷凍室の温度が共に設定温度以下を検出すると前記圧縮機を停止すると共に前記三方弁を全閉とし、各庫内温度の内何れか一方が設定温度以上を検知すると前記三方弁を全閉したまま、前記圧縮機を起動させ、所定時間動作させるものであり、圧縮機起動時の高温高圧の冷媒を流すことなく、冷蔵室もしくは冷凍室の冷却へ移行することができる。
【００３５】
請求項６に記載の発明は、請求項１から請求項５のいずれか一項に記載の発明において、前記冷凍室用蒸発器と前記圧縮機の間に、逆止弁を配設するものであり、圧縮機停止中の冷蔵室、冷凍室用蒸発器の昇温をさらに抑制することができる。
【００３６】
請求項７に記載の発明は、請求項１から請求項６のいずれか一項に記載の発明において、冷蔵室・冷凍室同時冷却終了から所定時間前記冷蔵室冷却用ファンを運転するものであり、冷蔵室庫内温度より低い温度状態の冷蔵室用蒸発器の冷気を有効利用できる。
【００３７】
請求項８に記載の発明は、請求項１から請求項６のいずれか一項に記載の発明において、冷蔵室・冷凍室同時冷却開始から所定時間前記冷蔵室冷却用ファンを停止するものであり、冷蔵室用蒸発器の温度を低下させてから冷蔵室庫内冷却を開始できるため、冷え遅れを改善できる。また、冷凍室用蒸発器への冷媒の流入を促進することができ、冷凍室庫内温度上昇を最小限に抑えることができる。
【００３８】
請求項９に記載の発明は、請求項１から請求項６のいずれか一項に記載の発明において、冷蔵室・冷凍室同時冷却開始から所定時間前記冷凍室冷却用ファンを停止するものであり、冷蔵室・冷凍室同時冷却に移行した場合に、冷凍室用蒸発器に高温の冷媒が流入した場合でも、冷凍室庫内温度上昇を最小限に抑えることができる。
【００３９】
請求項１０に記載の発明は、請求項１から請求項６のいずれか一項に記載の発明において、冷蔵室・冷凍室同時冷却開始から所定時間前記冷凍室冷却用ファンの回転数を低下させるものであり、冷蔵室・冷凍室同時冷却に移行した場合に、冷凍室用蒸発器に高温の冷媒が流入した場合でも、冷凍室庫内温度上昇を最小限に抑えることができる。また、冷凍室蒸発器に溜まっている冷媒を早く圧縮機に戻すことができ、全体の循環冷媒量を増加させることができる。
【００４０】
請求項１１に記載の発明は、請求項１から請求項６のいずれか一項に記載の発明において、冷凍室冷却終了から所定時間前記冷凍室冷却用ファンを運転するものであり、冷凍室庫内温度より低い温度状態の冷凍室用蒸発器の冷気を有効利用できる。また、冷凍室蒸発器に溜まっている冷媒を圧縮機に戻すことができ、次の冷却開始時の循環冷媒量を増加させることができる。
【００４１】
以下、本発明の実施の形態について、図面を参照しながら説明する。なお、従来と同一構成については、同一符号を付して詳細な説明を省略する。また、この実施の形態によってこの発明が限定されるものではない。
【００４２】
（実施の形態１）
図１は本発明の実施の形態１における冷蔵庫の概略断面図である。図２は同実施の形態１のタイムチャートである。図において、１８は冷蔵庫箱体であり、上方部に比較的高温の区画である冷蔵室９を、下方部に比較的低温の冷凍室１０を配置しており、ウレタンと真空断熱材によって周囲と断熱して構成している。食品等の収納物の出し入れは図示しない断熱ドアを介して行われる。
【００４３】
冷蔵室９は冷蔵保存のために通常１〜５℃で設定されているが、保鮮性向上のため若干低めの温度、例えば−３〜０℃で設定されることもあり、収納物によって、使用者が自由に上記のような温度設定を切り替えることを可能としている場合もある。また、ワインや根野菜等の保鮮のために、例えば１０℃前後の若干高めの温度設定とする場合もある。
【００４４】
冷凍室１０は冷凍保存のために通常−２２〜−１８℃で設定されているが、保鮮性向上のためより低めの温度、例えば−３０〜−２５℃で設定されることもある。
【００４５】
冷凍サイクル１９は圧縮機１と凝縮器２と流路切替手段である三方弁３と第一のキャピラリ４と冷蔵室用蒸発器５と第一のサクションライン１３と冷凍室用蒸発器７を順次接続し、また、三方弁３を介して第一のキャピラリ４と並列になるように第ニのキャピラリ６と冷凍室用蒸発器７と第二のサクションライン１４と第二のサクションライン１４途中に逆止弁８を接続してある。
【００４６】
圧縮機１と凝縮器２と三方弁３と逆止弁８は可燃性冷媒を用いた場合の安全性向上の面から冷蔵庫箱体１８内での配管溶接箇所低減のため機械室１７内に配設してある。
【００４７】
また、各蒸発器から戻ってくる冷媒は圧縮機吸込管１５を通って圧縮機１内空間へ放出された後、圧縮機吐出管１６を通じて吐出される構成である。
【００４８】
冷蔵室用蒸発器５は冷蔵室９内の、例えば冷蔵室９奥面に配設されており、近傍には冷蔵室９の区画内空気を冷蔵室用蒸発器５に通過させて循環させる冷蔵室用ファン１１が設けてある。
【００４９】
また、冷凍室用蒸発器７は冷凍室１０内の、例えば冷凍室１０奥面に配設されており、近傍には冷凍室１０の区画内空気を冷凍室用蒸発器７を通過させて循環させる冷凍室用ファン１２が設けてある。
【００５０】
また、圧縮機１は例えばインバーターによる回転数制御で冷媒循環量を制御し冷凍能力を変化させることができる能力可変型としてある。
【００５１】
また、三方弁３は例えばパルスモータにより作動するものであり開閉の動作中のみ通電されるものである。
【００５２】
また、冷蔵室９と冷凍室１０には区画内温度を検知する、例えばサーミスタである温度検知手段ＴＨ１、ＴＨ２を設けてあり、圧縮機１と三方弁３と冷蔵室用ファン１１と冷凍室用ファン１２とを制御する制御手段Ｃ１とを備えている。
【００５３】
図２は本発明の実施の形態１のタイムチャートである。以上のように構成された冷蔵庫について、冷蔵室９と冷凍室１０の冷却タイミングについて図２のタイムチャートを元に説明する。
【００５４】
圧縮機１停止中に、冷蔵室９および冷凍室１０の温度検知手段であるＴＨ１もしくはＴＨ２のうちいずれか一方が、予め設定された所定の温度以上を検知すると制御手段Ｃ１はこの信号を受け、例えば冷蔵室９の温度検知手段が予め設定された所定の温度（ｔ１Ｈ）以上を検知すると圧縮機１と冷蔵室用ファン１１を作動し、三方弁３を第一のキャピラリ４側に開放し冷蔵室９冷却を開始する（Ｔ１）。
【００５５】
圧縮機１の動作により吐出された高温高圧の冷媒は、凝縮器２にて放熱して凝縮液化し、三方弁３を経て第一のキャピラリ４に至る。その後、第一のキャピラリ４で第一のサクションライン１３と熱交換しながら減圧されて冷蔵室用蒸発器５に至る。冷蔵室用ファン１１の作動により冷蔵室９内の空気と積極的に熱交換した冷媒は冷蔵室用蒸発器５内で蒸発気化し、熱交換した空気はより低温の空気となって吐出され冷蔵室９を冷却する。気化した冷媒は、第一のサクションライン１３を経て冷凍室用蒸発器７を通り、第二のサクションライン１４を経て圧縮機１に吸入される。
【００５６】
冷蔵室９冷却中に冷蔵室温度検知手段ＴＨ１が予め設定された所定の温度（ｔ１Ｌ）以下且つ冷凍室温度検知手段であるＴＨ２が予め設定された所定の温度（ｔ２Ｌ）以上を検知以下すると制御手段Ｃ１はこの信号を受け冷蔵室用ファン１１を停止するとともに冷凍室用ファン１２を作動し、三方弁３を第ニのキャピラリ６側に開放し冷凍室１０の冷却を開始する（Ｔ２）。
【００５７】
圧縮機１の動作により吐出された高温高圧の冷媒は、凝縮器２にて放熱して凝縮液化し、三方弁３を経て第ニのキャピラリ６に至る。その後、第ニのキャピラリ６で第ニのサクションライン１４と熱交換しながら減圧されて冷凍室用蒸発器７に至る。冷凍室用ファン１２の作動により冷凍室１０内の空気と積極的に熱交換した冷媒は冷凍室用蒸発器７内で蒸発気化し、熱交換した空気はより低温の空気となって吐出され冷凍室１０を冷却する。気化した冷媒は、第ニのサクションライン１４および逆止弁８を経て圧縮機１に吸入される。
【００５８】
冷凍室１０冷却中に冷凍室温度検知手段ＴＨ２が予め設定された所定の温度（ｔ２Ｌ）以下且つ冷蔵室温度検知手段であるＴＨ１が予め設定された所定の温度（ｔ１Ｈ）以上を検知すると制御手段Ｃ１はこの信号を受け冷凍室用ファン１２を停止するとともに冷蔵室用ファン１１を作動し、三方弁３を第一のキャピラリ４側に開放し冷蔵室９の冷却を開始する（Ｔ３）。
【００５９】
以上の動作を繰り返し、三方弁３を用いて冷媒の流れを切り替えることにより、冷蔵室９と冷凍室１０を交互に冷却し、冷蔵室９と冷凍室１０の温度検知手段が共に予め設定された所定の温度（ｔ１Ｈおよびｔ２Ｌ）より低いことを検知すると三方弁３を第一のキャピラリ４側流路および第ニのキャピラリ６側流路ともに閉とし圧縮機１、冷蔵室用ファン１１、冷凍室用ファン１２を停止する（Ｔ４）。
【００６０】
圧縮機１停止中に、冷蔵室９および冷凍室１０の温度検知手段であるＴＨ１もしくはＴＨ２のうちいずれか一方が、予め設定された所定の温度以上を検知すると制御手段Ｃ１はこの信号を受け、例えば冷蔵室９の温度検知手段が予め設定された所定の温度（ｔ１Ｈ）以上を検知すると圧縮機１と冷蔵室用ファン１１を作動し、三方弁３を第一のキャピラリ４側に開放し冷蔵室９冷却を開始する（Ｔ５）。
【００６１】
圧縮機１停止中は三方弁３を第一のキャピラリ４側流路および第ニのキャピラリ６側流路ともに閉としているので、圧縮機１運転中に凝縮機２内に滞留していた高温高圧の冷媒は冷蔵室用蒸発器５および冷凍室用蒸発器７に流入しないので圧縮機１停止中の各部屋の温度上昇を最小限に抑えることが可能となる。
【００６２】
また、圧縮機１停止中は逆止弁８が冷凍室蒸発器７との間にあるため、三方弁３が閉状態であれば、冷蔵室蒸発器５もしくは冷凍室蒸発器７に冷媒が流入することはない。
【００６３】
また、圧縮機１停止中は凝縮器２側に冷媒をホールドしているので次回の冷却が冷蔵室９冷却、冷凍室１０冷却何れの場合でも速やかに各蒸発器に冷媒を供給することができ冷却効率を向上することが可能となる。
【００６４】
なお、冷蔵室用ファン１１を停止後冷凍室１０の冷却を開始するとしたが冷蔵室用蒸発器５を除霜する目的で冷凍室１０の冷却開始後所定時間経過した後冷蔵室ファン１１を停止させると次回の冷蔵室１０の冷却をさらに効率よく行うことが可能となる。
【００６５】
（実施の形態２）
図３は実施の形態２の冷蔵庫のタイムチャートである。なお、実施の形態１と同様の制御については説明を省略する。
【００６６】
冷蔵室９と冷凍室１０の温度検知手段が共に予め設定された所定の温度（ｔ１Ｈおよびｔ２Ｌ）より低いことを検知すると三方弁３を第一のキャピラリ４側に開放し圧縮機１を停止する（Ｔ６）。
【００６７】
圧縮機１停止中に、冷蔵室９および冷凍室１０の温度検知手段であるＴＨ１もしくはＴＨ２のうちいずれか一方が、予め設定された所定の温度以上を検知すると制御手段Ｃ１はこの信号を受け、例えば冷蔵室９の温度検知手段が予め設定された所定の温度（ｔ１Ｈ）以上を検知すると圧縮機１と冷蔵室用ファン１１を作動し、三方弁３を第一のキャピラリ４側に開放し冷蔵室９冷却を開始する（Ｔ７）。
【００６８】
三方弁３を圧縮機１停止と同時に冷蔵室用蒸発器５側に開放するので停止直前の冷却状態は冷蔵室９冷却、冷凍室１０冷却いずれの冷却からでも圧縮機１を停止することができるので実際の使用条件下においてフレキシブルな対応が可能となる。
【００６９】
（実施の形態３）
図４は実施の形態３の冷蔵庫のタイムチャートである。なお、実施の形態１と同様の制御については説明を省略する。
【００７０】
冷蔵室９と冷凍室１０の温度検知手段が共に予め設定された所定の温度（ｔ１Ｈおよびｔ２Ｌ）より低いことを検知すると三方弁３を第一のキャピラリ４側流路および第ニのキャピラリ６側流路ともに閉とし圧縮機１を停止する（Ｔ８）。
【００７１】
圧縮機１停止中に、冷蔵室９および冷凍室１０の温度検知手段であるＴＨ１もしくはＴＨ２のうちいずれか一方が、予め設定された所定の温度以上を検知すると制御手段Ｃ１はこの信号を受け、例えば冷蔵室９の温度検知手段が予め設定された所定の温度（ｔ１Ｈ）以上を検知すると三方弁３を冷蔵室蒸発器５側に開放する（Ｔ９）。
【００７２】
所定時間経過後、圧縮機１と冷蔵室用ファン１１を作動し冷蔵室９冷却を開始する（Ｔ１０）。
【００７３】
圧縮機１起動時には冷蔵室用蒸発器５回路を介して高圧側と低圧側の圧力は同等圧力にバランスしているので、起動時に圧縮機１にかかるトルクを最小限に抑えることができ圧縮機１のトルク不足による起動不良を防止することが可能となり、且つ冷蔵室９の温度検知手段が予め設定された所定の温度（ｔ１Ｈ）以上を検知するまで三方弁３を冷蔵室用蒸発器５側および冷凍室用蒸発器７側ともに閉としているので冷蔵室９の昇温を最小限に抑えることができる。
【００７４】
なお、Ｔ９〜Ｔ１０までの時間は高低圧がバランスするまでの最小時間に設定するが外気温により高低圧がバランスする時間にばらつきがあるので外気温別にＴ９〜Ｔ１０までの時間を設定するとさらに冷却効率を向上することが可能となる。
【００７５】
また、図５に示すように圧縮機１停止中に冷凍室１０の温度検知手段が予め設定された所定の温度（ｔ２Ｈ）以上を検知した場合も同様に三方弁３を冷蔵室蒸発器５側に開放し、所定時間経過後、圧縮機１と冷凍室用ファン１２を作動し三方弁３を第二のキャピラリ６側に開放し冷凍室１０冷却を開始する。
【００７６】
圧縮機１停止中に冷凍室１０の庫内温度が上昇した場合でも三方弁３を冷蔵室蒸発器５側に開放して高低圧をバランスさせるので、冷凍室１０の昇温を最小限に抑えることが可能となる。
【００７７】
（実施の形態４）
図６は実施の形態４の冷蔵庫のタイムチャートである。なお、実施の形態１と同様の制御については説明を省略する。
【００７８】
冷蔵室９と冷凍室１０の温度検知手段が共に予め設定された所定の温度（ｔ１Ｈおよびｔ２Ｌ）より低いことを検知すると三方弁３を第一のキャピラリ４側流路および第ニのキャピラリ６側流路ともに閉とし圧縮機１を停止する（Ｔ８）。
【００７９】
圧縮機１停止中に、冷蔵室９および冷凍室１０の温度検知手段であるＴＨ１もしくはＴＨ２のうちいずれか一方が、予め設定された所定の温度以上を検知すると制御手段Ｃ１はこの信号を受け、例えば冷蔵室９の温度検知手段が予め設定された所定の温度（ｔ１Ｈ）以上を検知すると三方弁３を冷凍室蒸発器７側に開放する（Ｔ９）。
【００８０】
所定時間経過後、圧縮機１と冷蔵室用ファン１１を作動し冷蔵室９冷却を開始する（Ｔ１０）。
【００８１】
圧縮機１起動時には冷凍室用蒸発器７回路を介して高圧側と低圧側の圧力は同等圧力にバランスしているので、起動時に圧縮機１にかかるトルクを最小限に抑えることができ圧縮機１のトルク不足による起動不良を防止することが可能となり、且つ冷蔵室９の温度検知手段が予め設定された所定の温度（ｔ１Ｈ）以上を検知するまで三方弁３を冷蔵室用蒸発器５側および冷凍室用蒸発器７側ともに閉としているので冷蔵室９および冷凍室１０の昇温を最小限に抑えることができる。
【００８２】
また、冷蔵室用蒸発器５側には冷媒が流入しないため冷蔵室９の昇温を最小限に抑えることができる。
【００８３】
なお、Ｔ９〜Ｔ１０までの時間は高低圧がバランスするまでの最小時間に設定するが外気温により高低圧がバランスする時間にばらつきがあるので外気温別にＴ９〜Ｔ１０までの時間を設定するとさらに冷却効率を向上することが可能となる。
【００８４】
（実施の形態５）
図７は実施の形態５の冷蔵庫のタイムチャートである。なお、実施の形態１と同様の制御については説明を省略する。
【００８５】
冷蔵室９と冷凍室１０の温度検知手段が共に予め設定された所定の温度（ｔ１Ｈおよびｔ２Ｌ）より低いことを検知すると三方弁３を第一のキャピラリ４側流路および第ニのキャピラリ６側流路ともに閉とし圧縮機１を停止する（Ｔ８）。
【００８６】
圧縮機１停止中に、冷蔵室９および冷凍室１０の温度検知手段であるＴＨ１もしくはＴＨ２のうちいずれか一方が、予め設定された所定の温度以上を検知すると制御手段Ｃ１はこの信号を受け、例えば冷蔵室９の温度検知手段が予め設定された所定の温度（ｔ１Ｈ）以上を検知すると三方弁３を全閉したまま圧縮機１を動作させる（Ｔ９）。
【００８７】
所定時間経過後、三方弁３を例えば冷蔵室蒸発器５側に開放し、冷蔵室用ファン１１を作動し冷蔵室９冷却を開始する（Ｔ１０）。圧縮機１を動作させてから所定時間経過後、冷却を開始するため冷え遅れを改善することが可能となる。また、冷凍室蒸発器７内に滞留している冷媒の蒸発を促進できるので、冷蔵室９もしくは冷凍室１０の冷却効率を向上することができる。
【００８８】
（実施の形態６）
図８は実施の形態６の冷蔵庫のタイムチャートである。なお、実施例１と同様の制御については説明を省略する。
【００８９】
冷蔵室９冷却中に冷蔵室温度検知手段ＴＨ１が予め設定された所定の温度（ｔ１Ｌ）以下を検知すると制御手段Ｃ１はこの信号を受け冷蔵室用ファン１１を動作させ続ける（Ｔ１３）。
【００９０】
冷蔵室９冷却終了時に冷蔵室用ファン１１を運転することにより冷蔵室用蒸発器７内に滞留している冷媒の蒸発を促進できるので、冷蔵室９の冷却効率を向上することが可能となる。
【００９１】
（実施の形態７）
図９は実施の形態７の冷蔵庫のタイムチャートである。なお、実施例１と同様の制御については説明を省略する。
【００９２】
冷凍室１０冷却中もしくは、圧縮機１停止中に冷蔵室温度検知手段ＴＨ１が予め設定された所定の温度（ｔ１Ｈ）以上を検知すると制御手段Ｃ１はこの信号を受け三方弁３を冷蔵室蒸発器７側に開放し、冷蔵室９および冷凍室１０同時冷却を開始する。このときタイマーにより冷蔵室９および冷凍室１０同時冷却開始から所定時間、冷蔵室用ファン１１を動作させない。
【００９３】
冷蔵室用ファンを動作させないことにより、冷蔵室蒸発器７の温度を低下させることができ、冷凍室用蒸発器７への冷媒流入が促進され、冷凍室１０の昇温が最小限に抑えられる。
【００９４】
（実施の形態８）
図１０は実施の形態８の冷蔵庫のタイムチャートである。なお、実施例１と同様の制御については説明を省略する。
【００９５】
冷凍室１０冷却中もしくは、圧縮機１停止中に冷蔵室温度検知手段ＴＨ１が予め設定された所定の温度（ｔ１Ｈ）以上を検知すると制御手段Ｃ１はこの信号を受け三方弁３を冷蔵室蒸発器７側に開放し、冷蔵室９および冷凍室１０同時冷却を開始する。このときタイマーにより冷蔵室９および冷凍室１０同時冷却開始から所定時間、冷凍室用ファン１２を動作させない。
【００９６】
冷蔵室９冷却開始時に冷凍室用ファン１２を停止することにより冷蔵室９冷却後の高温の冷媒が冷凍室用蒸発器７に流入し、冷凍室用蒸発器７が冷凍室１０より高温になった場合でも、冷凍室１０の昇温を最小限に抑えることができる。
【００９７】
（実施の形態９）
図１１は実施の形態９の冷蔵庫のタイムチャートである。なお、実施例１と同様の制御については説明を省略する。
【００９８】
冷凍室１０冷却中もしくは、圧縮機１停止中に冷蔵室温度検知手段ＴＨ１が予め設定された所定の温度（ｔ１Ｈ）以上を検知すると制御手段Ｃ１はこの信号を受け三方弁３を冷蔵室蒸発器７側に開放し、冷蔵室９および冷凍室１０同時冷却を開始する。このときタイマーにより冷蔵室９および冷凍室１０同時冷却開始から所定時間、冷凍室用ファン１２を動作させない。
【００９９】
冷蔵室９冷却開始時に冷凍室用ファン１２の回転数を低下させることにより冷蔵室９冷却後の高温の冷媒が冷凍室用蒸発器７に流入し、冷凍室用蒸発器７が冷凍室１０より高温になった場合でも、冷凍室１０の昇温を最小限に抑えることができる。
【０１００】
また、冷凍室用ファン１２を作動させることにより、冷凍室用蒸発器７に滞留している冷媒の蒸発を促進することができ、冷蔵室９の冷却を促進することができる。
【０１０１】
（実施の形態１０）
図１２は実施の形態１０の冷蔵庫のタイムチャートである。なお、実施例１と同様の制御については説明を省略する。
【０１０２】
冷凍室１０冷却中に冷蔵室温度検知手段ＴＨ１が予め設定された所定の温度（ｔ２Ｌ）以下を検知すると制御手段Ｃ１はこの信号を受け冷凍室用ファン１２を動作させ続ける（Ｔ１３）。
【０１０３】
冷凍室１０冷却終了時に冷凍室用ファン１２を運転することにより冷凍室蒸発器８内に滞留している冷媒の蒸発を促進できるので、冷凍室１０の冷却効率を向上することが可能となる。
【産業上の利用可能性】
【０１０４】
以上のように、本発明にかかる冷蔵庫は、圧縮機停止中に高温高圧の冷媒が冷蔵室、冷凍室それぞれの蒸発器ともに流入せず、省エネルギー化を図れるので、同様の冷凍サイクルを有する冷却機器に有効に適用できる。
【図面の簡単な説明】
【０１０５】
【図１】本発明の実施の形態１の冷蔵庫の断面図
【図２】本発明の実施の形態１の冷蔵庫のタイムチャート
【図３】本発明の実施の形態２の冷蔵庫のタイムチャート
【図４】本発明の実施の形態３の冷蔵庫のタイムチャート
【図５】本発明の実施の形態３の冷蔵庫の他のタイムチャート
【図６】本発明の実施の形態４の冷蔵庫のタイムチャート
【図７】本発明の実施の形態５の冷蔵庫のタイムチャート
【図８】本発明の実施の形態６の冷蔵庫のタイムチャート
【図９】本発明の実施の形態７の冷蔵庫のタイムチャート
【図１０】本発明の実施の形態８の冷蔵庫のタイムチャート
【図１１】本発明の実施の形態９の冷蔵庫のタイムチャート
【図１２】本発明の実施の形態１０の冷蔵庫のタイムチャート
【図１３】従来の冷蔵庫の断面図
【符号の説明】
【０１０６】
１    圧縮機
２    凝縮器
３    三方弁
４    第一のキャピラリ
５    冷蔵室用蒸発器
６    第二のキャピラリ
７    冷凍室用蒸発器
８    逆止弁
９    冷蔵室
１０    冷凍室
１１    冷蔵室用ファン
１２    冷凍室用ファン
１８    冷蔵庫箱体
２０    真空断熱材
【図１】
2005337677.tif 000003
【図２】
2005337677.tif 000004
【図３】
2005337677.tif 000005
【図４】
2005337677.tif 000006
【図５】
2005337677.tif 000007
【図６】
2005337677.tif 000008
【図７】
2005337677.tif 000009
【図８】
2005337677.tif 000010
【図９】
2005337677.tif 000011
【図１０】
2005337677.tif 000012
【図１１】
2005337677.tif 000013
【図１２】
2005337677.tif 000014
【図１３】
2005337677.tif 000015